(57)【要約】【課題】被固定部材を断熱材内に別個に成型する必要がなく、しかも断熱状態を維持した状態で風路内取付部品を低コストで容易に本体部に取り付けることができる空気調和機の室内機等を提供すること。【解決手段】金属板からなり外郭を構成する本体部１を有し、本体部１に吸込み口と吹出し口が設けられ、これらを結ぶ風路１２内に送風機１１及び熱交換器が配設された空気調和機の室内機であって、本体部１の吹出し口の近傍に、風路１２側に取り付けられた風路内取付部品２０及び風路１２内の熱または冷気を遮断する断熱材３０を備え、本体部１に断熱材３０を貫通して風路１２内に露出する複数の取付凸部６を設け、取付凸部６に風路内取付部品２０を取り付けた。【選択図】図１
2010181083.tif 000002
【特許請求の範囲】
【請求項１】
金属板からなり外郭を構成する本体部を有し、該本体部に吸込み口と吹出し口が設けられ、これらを結ぶ風路内に送風機及び熱交換器が配設された空気調和機の室内機であって、
前記本体部の吹出し口の近傍に、前記風路側に取り付けられた風路内取付部品及び前記風路内の熱または冷気を遮断する断熱材を備え、
前記本体部に前記断熱材を貫通して前記風路内に露出する複数の取付凸部を設け、該取付凸部に前記風路内取付部品を取り付けたことを特徴とする空気調和機の室内機。
【請求項２】
前記風路内取付部品を、取付板と該取付板上に回動可能に設けた複数の風向板とによって構成し、前記取付板を前記本体部に設けた取付凸部に取り付けたことを特徴とする請求項１記載の空気調和機の室内機。
【請求項３】
前記取付凸部が断面ほぼ台形状をなすことを特徴とする請求項１又は２記載の空気調和機の室内機。
【請求項４】
前記取付凸部の高さが前記断熱材の厚みとほぼ等しいことを特徴とする請求項１〜３のいずれかに記載の空気調和機の室内機。
【請求項５】
前記取付凸部に熱伝導を弱める手段を設けたことを特徴とする請求項１〜４のいずれかに記載の空気調和機の室内機。
【請求項６】
前記熱伝導を弱める手段が前記取付凸部の天面に設けられ、前記風路内取付部品と線接触もしくは点接触する突起部であることを特徴とする請求項５記載の空気調和機の室内機。
【請求項７】
前記突起部が、リング状をなす突起部又は分離して形成された複数の突起部であることを特徴とする請求項６記載の空気調和機の室内機。
【請求項８】
前記熱伝導を弱める手段が、前記取付凸部の側面に形成されたスリット溝又は複数の小孔であることを特徴とする請求項５記載の空気調和機の室内機。
【請求項９】
前記熱伝導を弱める手段が、前記取付凸部に形成された切除部であることを特徴とする請求項５記載の空気調和機の室内機。
【請求項１０】
請求項１〜９のいずれかに記載の室内機を備えたことを特徴とする空気調和機。
【発明の詳細な説明】
【技術分野】
【０００１】
本発明は、空気調和機の室内機及びこれを備えた空気調和機に係り、より詳しくは、風路内取付部品から本体部への熱伝導を弱める手段を備えた空気調和機の室内機及びこれを備えた空気調和機に関する。
【背景技術】
【０００２】
従来は、パネルを互いに連結する場合、断熱性芯材を充填したパネルに被固定部材を別部品として埋設し、被固定部材にボルトを挿入してパネル同士を接合し、接合時における断熱性を確保していた（例えば、特許文献１参照）。
【０００３】
また、吹出路、導風口及び仕切壁等が一体形成された導風体の下部に吸込グリルと吹出グリルを備えた底面パネルを接合し、底面パネルの上面に突設された取付部を介して本体の底面にねじ止めすることにより、導風体と底面パネルとの高さ寸法を抑えてこれらを本体底面に取り付けるようにした空気調和機が開示されている（例えば、特許文献２参照）。
【先行技術文献】
【特許文献】
【０００４】
【特許文献１】特開平９−２６４４９１号公報（第３頁、図２）
【特許文献２】特開２００４−２３９５２９号公報（第３−４頁、図２、３、５）
【発明の概要】
【発明が解決しようとする課題】
【０００５】
特許文献１記載のパネルは、断熱性を確保するために、その成型にあたり、被固定部材を金型内に取り付けた後に断熱材を成型する同時成型を行うため、成型の都度、被固定部材を金型に取り付けなけれならず、パネルを連続成型することができず、このため部材を取り付けるにあたり、断熱性確保のためのコストが上昇してしまう等の問題があった。
【０００６】
また、引用文献２の空気調和機は、断熱性を有する導風体の下部に底面パネルを接合して取付部により本体にねじ止めするようにしているが、この導風体には吹出路、導風口、仕切壁などを設けなければならないため構造が複雑で製造が面倒であり、その上、導風体を含む底面パネルは大型で重量も大きくなるため、着脱が面倒である等の問題がある。なお、特許文献２には風路取付部品については全く記載されていない。
【０００７】
本発明は、上記のような課題を解決するためになされたもので、被固定部材を断熱材内に別個に成型する必要がなく、しかも断熱状態を維持した状態で風路内取付部品を低コストで容易に本体部に取り付けることができる空気調和機の室内機及びこれを備えた空気調和機を提供することを目的とする。
【課題を解決するための手段】
【０００８】
本発明は、金属板からなり外郭を構成する本体部を有し、本体部に吸込み口と吹出し口が設けられ、これらを結ぶ風路内に送風機及び熱交換器が配設された空気調和機の室内機であって、本体部の吹出し口の近傍に、風路側に取り付けられた風路内取付部品及び風路内の熱または冷気を遮断する断熱材を備え、本体部に断熱材を貫通して風路内に露出する複数の取付凸部を設け、取付凸部に風路内取付部品を取り付けたものである。
【０００９】
また、本発明に係る空気調和機は、上記の室内機を備えたものである。
【発明の効果】
【００１０】
本発明に係る室内機及びこれを備えた空気調和機によれば、風路取付部品は断熱材を介することなく、風路側から本体部に設けた取付凸部に直接取り付けるようにしたので、取付が容易であり、また、風路内取付部品を取り付けるための別部材を断熱材にインサートする必要もないので、製品コストを低減することができる。
さらに、風路内の熱もしくは冷気は断熱材により本体部への伝達が遮断され、また、取付凸部の天面の面積を小さくして風路内取付部品との接触面積を最小限にしたので、本体部への熱伝導はほとんどない。
【図面の簡単な説明】
【００１１】
【図１】本発明の実施の形態１に係る空気調和機の室内機の化粧パネルを取り外した状態の斜視図である。
【図２】図１の要部の斜視図である。
【図３】図２のＡ部を拡大した斜視図である。
【図４】図３のイ−イ断面図及びそのロ−ロ断面図である。
【図５】本発明の実施の形態２に係る空気調和機の室内機の要部の断面図である。
【図６】本発明の実施の形態３に係る空気調和機の室内機の要部の断面図である。
【図７】本発明の実施の形態４に係る空気調和機の室内機の要部の断面図である。
【発明を実施するための形態】
【００１２】
実施の形態１．
本発明に係る空気調和機の室内機は、図１、図２に示すように、金属板からなり、前面側が下方に折り曲げられた（以下、前面折曲げ部２ａという）ほぼＬ字状の本体枠２と、前面折曲げ部２ａの前面側に設けられた前面板３、左右の側面板４及び背面板５とにより、下面が開口された外郭を構成するほぼ箱状の本体部１を有し、本体部１内には送風機１１、熱交換器（図示せず）、風路１２等が設けられている。
【００１３】
そして、下面の開口部には化粧パネル（図示せず）が着脱可能に装着され、化粧パネルの送風機１１の下面（上流側）には室内空気の吸込み口が設けられており、風路１２の下面（下流側）には熱交換器によって熱交換された空気が室内に吹き出す吹出し口が設けられている。
【００１４】
２０ａ、２０ｂ、２０ｃは本体枠２の前面折曲げ部２ａの内側（風路１２側）において、後述の断熱材３０の内側に取り付けられた複数組の風路内取付部品で、図２〜図４に示すように、例えば、取付板２１と、この取付板２１に回動可能に設けた複数の風向板２３とからなる複数の組立体によって構成されており、各組立体の風向板２３は連結機２４により連結されている。なお、これら組立体は分割せずに一体に構成してもよい。また、以下の説明では、これら風路内取付部品（組立体）２０ａ〜２０ｃを一括して符号２０で示す。
【００１５】
６は風路内取付部品２０の各組立体に対応して、本体枠２の前面折り曲げ部２ａから内側（風路１２内）に向かって突設された取付凸部で、断面ほぼ台形状に形成されてその天面にはねじ穴７が設けられており、その高さは断熱材３０の厚みとほぼ等しく形成されている。この取付凸部６の断面形状は、四角錐その他の多角錘あるいは載頭円錐形等であってもよく、いずれの場合もその天面の面積をできるだけ小さくしてある。なお、取付板２１には、取付凸部６のねじ穴７に対向してねじ挿通穴２２が設けられている。
【００１６】
例えば発泡スチロール等からなる断熱材３０は、本体枠２の前面折り曲げ部２ａの内壁面に沿って設けられ、風路１２の熱あるいは冷気を本体枠２（本体部１）及び風路内取付部品２０から遮断するためのもので、本体枠２の前面折り曲げ部２ａに設けた取付凸部６に対応して、貫通穴３１が設けられている。
【００１７】
上記のように構成した本実施の形態においては、本体枠２の前面折り曲げ部２ａの内壁面に断熱材３０を当接してその貫通穴３１を取付凸部６にそれぞれ嵌合する。このとき断熱材３０を接着剤等により前面折り曲げ部２ａに貼り付けてもよい。ついで、断熱材３０から露出する取付凸部６の上に風向板２３を有する取付板２１を載置し、そのねじ挿通穴２２を取付凸部６のねじ穴７に整合させ、ねじ挿通穴２２に挿通したねじ２５を取付凸部６のねじ穴７に螺入して固定する。これにより、風路内取付部品２０を構成する各組立体は本体枠２（前面折り曲げ部２ａ）に固定される。
【００１８】
上記のように構成した本実施の形態に係る空気調和機の室内機は、送風機１１の駆動により吸込み口から吸い込まれた室内の空気は、熱交換器によって熱交換された温風又は冷風となり、風路１２を経て吹出し口から室内に吹き出される。このとき、風路内取付部品２０の風向板２３を回動してその角度を調整することにより、温風又は冷風の吹出し方向を規制することができる。
【００１９】
また、風路１２内の熱又は冷気は、断熱材３０により本体枠２（本体部１）には伝達されず、取付凸部６に取付けた風路内取付部品２０から本体枠２への熱伝達もほとんどない。
【００２０】
本実施の形態によれば、風路内取付部品２０は断熱材３０を介することなく、風路１２側から本体枠２に設けた取付凸部６に直接ねじ２５で固定するようにしたので、取付けが容易である。また、風路内取付部品２０を取り付けるための別部材を断熱材２０にインサートする必要もなので、製品コストを低減することができる。
【００２１】
また、風路１２内の熱又は冷気は、断熱材３０により本体枠２への伝熱が遮断され、さらに、取付凸部６の天面の面積をできるだけ小さくして風路内取付部品２０の取付板２１との接触面積を最小限にしたので、風路内取付部品２０から本体枠２への熱伝導はほとんどない。
【００２２】
実施の形態２．
図５は本発明の実施の形態２に係る空気調和機の室内機の要部の断面図である。なお、実施の形態１と同じ部分にはこれと同じ符号を付し、説明を省略する。
本実施の形態は、本体枠２に設けた取付凸部６の天面にさらに熱伝導を弱める手段を設けたものである。
【００２３】
図５に示すように、本体枠２の取付凸部６が風路内取付部品２０の取付板２１と接触する天面に、風路１２側に突設した突起部２６を設けたもので、この突起部２６を介して風路内取付部品２０を取り付けるようにしたものである。突起部２６は風路内取付部品２０の取付板２１と線接触するものであってもよく、あるいは点接触するものであってもよい。例えば、突起部２６をリング状に形成して線接触するようにしてもよく、あるいは、分離して形成された複数の突起部２６により点接触するようにしてもよい。点接触の場合は、接触時の安定性の面から、突起部２６は３箇所以上に分離して設けることが望ましい。
その他の構成、作用は、実施の形態１で示した場合と実質的に同様である。
【００２４】
本実施の形態によれば、本体枠２の取付凸部６の天面にリング状をなす突起部２６、または分離して形成された複数の突起部２６を設け、風路内取付部品２０がこれらの突起部２６を介して天面に線接触または点接触するようにしたので、簡単な構造で、風路内取付部品２０からの熱伝導を弱めることができる。
【００２５】
実施の形態３．
図６は本発明の実施の形態３に係る空気調和機の室内機の要部の断面図である。なお、実施の形態１と同じ部分にはこれと同じ符号を付し、説明を省略する。
実施の形態１では、取付枠２に取付凸部６を形成しその天面に風路内取付部品２０を取り付けたが、本実施の形態では、取付凸部６の側面にさらに熱伝導を弱める手段を設けたものである。
【００２６】
図６に示すように、本体枠２の取付凸部６の側面に１または２以上のスリット溝８を設け、これによって本体枠２の熱容量を小さくしたものである。スリット溝８は取付凸部６の天面とほぼ平行になるように形成されており、１つの側面に設けてもよく、あるいは複数の側面に設けてもよい。
その他の構成、作用は、実施の形態１で示した場合と実質的に同様である。
【００２７】
本実施の形態によれば、本体枠２の取付凸部６の側面にスリット溝８を設けたので、簡単な構造で取付凸部６の熱容量を小さくし、風路内取付部品２０からの熱伝導を弱めることができる。なお、スリット溝８に代えて複数の小孔を設けてもよい。
【００２８】
実施の形態４．
図７は本発明の実施の形態４に係る空気調和機の室内機の要部の断面図である。なお、実施の形態１と同じ部分にはこれと同じ符号を付し、説明を省略する。
実施の形態１では、本体枠２に取付凸部６を形成しその天面に風路内取付部品２０を取り付けたが、本実施の形態は、取付凸部６にさらに熱伝導を弱める手段を形成したものである。
【００２９】
図７に示すように、本体枠２の取付凸部６に切除部９を設け、これによって本体枠２のの熱容量を小さくしたものである。この切除部９を取付凸部６の天面縁部に設けた場合を示してあるが、他の位置に設けてもよい。
その他の構成、作用は、実施の形態１で示した場合と実質的に同様である。
【００３０】
本実施の形態によれば、本体枠２の取付凸部９に切除部６を設けたので、簡単な構造で取付凸部６の熱容量を小さくし、風路内取付部品２０からの熱伝導を弱めることができる。
【００３１】
実施の形態５．
本実施の形態は、空気調和機において本実施の形態１〜４のいずれかに係る室内機を備えたものである。なお、本実施の形態に係る室内機は、図１に示す室内機に限定するものではなく、他の構造の室内機であってもよい。
【符号の説明】
【００３２】
１  本体部、２  本体枠、６  取付凸部、８  スリット溝、９  切除部、１１  送風機、１２  風路、２０  風路内取付部品、２１  取付板、２３  風向板、２６  突起部、３０  断熱材。
【図１】
2010181083.tif 000003
【図２】
2010181083.tif 000004
【図３】
2010181083.tif 000005
【図４】
2010181083.tif 000006
【図５】
2010181083.tif 000007
【図６】
2010181083.tif 000008
【図７】
2010181083.tif 000009